(57)【要約】【課題】  広い範囲の明るさに対応し、失敗の少ない撮影ができるレンズ付きフイルムユニットを提供する。【解決手段】  レンズ付きフイルムユニットは、ストロボ非発光，小絞りの日中撮影モードと、ストロボ通常発光，小絞りの日中シンクロ撮影モードと、ストロボ減光発光，大絞りの夜景シンクロ撮影モードとを備えている。シャッタ速度は、各撮影モードで同じ１／６４秒とされ、写真フイルムとしては、フイルム感度がＩＳＯ３２００のものが用いられている。大絞りの絞り開口６２は、その開口径がＦ５．６相当のものとされている。また。小絞りの小絞り部６６は、Ｆ１６の開口径を有する小絞り開口と、透過率２５％のＮＤフィルタとからなり、Ｆ３２相当の光量制限能力を有する。【選択図】        図５
2005258069.tif 000002
【特許請求の範囲】
【請求項１】
未露光の写真フイルムが予め装填されたレンズ付きフイルムユニットにおいて、
少なくとも第１撮影モードと第２撮影モードとを選択するための撮影モード選択手段と、撮影モードに関わらずシャッタ速度が１／６４秒のシャッタ機構と、前記撮影モード選択手段による第１撮影モードの選択時に絞り値がＦ１６の小絞り開口と透過率が２５％のＮＤフィルタとからなる小絞り手段に切り替え、第２撮影モードの選択時に絞り値がＦ５．６の大絞りに切り替える絞り切替え手段とを備えるとともに、前記写真フイルムのフイルム感度がＩＳＯ３２００とされていることを特徴とするレンズ付きフイルムユニット。
【請求項２】
前記小絞り手段は、前記小絞り開口が形成された小絞り板に前記ＮＤフィルタが貼り付けられており、前記絞り切替え手段は、第１撮影モードの選択時に前記小絞り板を撮影レンズの光路中に挿入することを特徴とする請求項１記載のレンズ付きフイルムユニット。
【請求項３】
前記撮影モード選択手段によって第３撮影モードの選択が可能にされ、前記絞り切替え手段は、第３撮影モードの選択時に小絞り手段に切り替えるようにされるとともに、撮影に同期してストロボ光を照射するストロボ装置と、第１撮影モードの選択時にストロボ装置を非作動とし、第２及び第３撮影モードの選択時にストロボ装置を作動状態とするストロボ発光切替手段と、第２撮影モードの選択時にストロボ光の照射量を減らすストロボ光量切替手段とを備えたことを特徴とする請求項１または２記載のレンズ付きフイルムユニット。
【発明の詳細な説明】
【技術分野】
【０００１】
本発明は、レンズ付きフイルムユニットに関し、更に詳しくは、複数の撮影モードを有するレンズ付きフイルムユニットに関するものである。
【背景技術】
【０００２】
写真フイルムが予め装填されたレンズ付きフイルムユニットが各種販売されており、撮影条件に応じた撮影モードを選択することにより、日中屋外等の明るい場所から暗い場所までの撮影に対応したものがある。このようなレンズ付きフイルムユニットとしては、例えば特許文献１に記載されたものや本出願人により製造販売されている「Ｎｉｇｈｔ＆Ｄａｙ（商品名）」が知られている。
【０００３】
上記の各レンズ付きフイルムユニットは、日中屋外等の明るい場所での撮影に対応する日中撮影モード（ストロボ発光せず）と日中シンクロ撮影モード（ストロボ発光あり）と、夜景等のように暗い被写体を撮影するような場合、あるいは夜景や暗い室内を背景にし、その背景を適当な濃度で再現しながら人物等の主要被写体をストロボ光で撮影する場合に対応する夜景シンクロ撮影モードの３つの撮影モードを備えている。日中撮影モード及び日中シンクロ撮影モードでは、高速なシャッタ速度と小絞りに設定され、夜景シンクロ撮影モードでは、低速なシャッタ速度と大絞りに設定される。
【０００４】
例えば特許文献１のレンズ付きフイルムユニットでは、フイルム感度がＩＳＯ１６００の写真フイルムが用いられ、日中撮影モード及び日中シンクロ撮影モードでは、シャッタ速度が１／１１０秒に、絞り値がＦ１４に設定され、夜景シンクロ撮影モードでは、シャッタ速度が１／４５秒に、絞り値がＦ５．６に設定される例が記載されている。
【０００５】
シャッタ速度は、日中撮影モード及び日中シンクロ撮影モードの際に、シャッタ速度切替機構によりシャッタ羽根の回動角度を小さくすることで高速とされる。また、絞り値については、大絞りに対応する固定絞り板を撮影レンズ内に配しておき、日中撮影モード及び日中シンクロ撮影モードに切り替えられた際に、小絞りを撮影光路上に挿入する絞り切替機構が用いられている。
【０００６】
なお、レンズ付きフイルムユニット「Ｎｉｇｈｔ＆Ｄａｙ（商品名）」についても、日中撮影モード及び日中シンクロ撮影モードのシャッタ速度が１／１２０秒である点、夜景シンクロ撮影モードにおける絞り値がＦ６．２である点の他は、特許文献１に記載されたレンズ付きフイルムユニットと同様である。
【０００７】
また、シャッタ速度と撮影レンズの透過光量とを切り替えることにより、日中屋外等の明るい場所から暗い場所までの撮影に対応するレンズ付きフイルムユニットが特許文献２によって知られている。この特許文献２のレンズ付きフイルムユニットでは、ストロボをオフとすることに連動して、撮影光路中にＮＤフィルタを挿入して透過光量を小さくしている。また、特許文献１と同様にシャッタ羽根の回動角度を小さくすることでシャッタ速度を高速にしている。
【０００８】
【特許文献１】特開２００３−３４４９１４号公報
【特許文献２】特開２０００−３５２８００号公報
【発明の開示】
【発明が解決しようとする課題】
【０００９】
ところで、上記特許文献１，２のようなシャッタ速度切替機構は、シャッタ羽根の動作が安定せず、所望とするシャッタ速度で動作しないことがある。また、シャッタ速度切替機構を構成する部品点数の増加にともない、製造コストの上昇を招くとともに、組み付けスペースが余分に必要になってレンズ付きフイルムユニットの大型化を招くといった問題もあった。
【００１０】
上記のような問題点を考慮すると、シャッタ速度切替機構を用いずに、絞り切替機構だけで、日中屋外等の明るい場所での日中撮影と夜景やそれを背景とする人物撮影に対応する夜景撮影の実現が望まれる。
【００１１】
ところで、写真フイルムを用いた撮影シーンの上限の明るさは、フイルム感度ＩＳＯ１００を基準としたＥＶ値でＥＶ１６と一般的にいわれている。また、ＥＶ１５〜ＥＶ１６の範囲の撮影シーンは、全撮影チャンスの１％程度である。なお、フイルム感度ＩＳＯ１００を基準としたＥＶ値は、絞り値をＦ，シャッタ速度をＴ、フイルム感度をＳとしたときに、「ＥＶ＝log2( Ｆ2 ／Ｔ) −log2（Ｓ／１００）」で与えられ、例えばＥＶ１６の明るさとは、この式によりＥＶ１６となる絞り値，シャッタ速度、フイルム感度の組み合せで撮影したときに適正となる明るさを意味している。
【００１２】
そこで、例えば、レンズ付きフイルムユニットの日中撮影における適正ＥＶ値をＥＶ１０に設定すると、カラーネガタイプの写真フイルムのラチチュードを考慮し＋５の露光オーバを許容したとしても、全撮影チャンスの１％程度ではあるが、写真フイルムのラチチュードを超えた露光オーバが発生することになる。そして、露光オーバとなった撮影コマから作成されるプリント写真は画像全体にピンクの色味ががかってしまうとともに、プリント時間が長くなり現像処理のコストを上昇させてしまうという問題が発生することがわかった。
【００１３】
また、レンズ付きフイルムユニットの日中撮影における適正ＥＶ値をＥＶ１２に設定した場合には、露光アンダー側でラチチュード内に収まる範囲の下限がＥＶ１０となる。しかしながら、ＥＶ１０〜ＥＶ９（例えば夕方の明るさ）の明るさを暗いと認識するユーザが少ないことがわかった。すなわち、日中撮影における適正ＥＶ値をＥＶ１２とした場合、上記のような露光オーバによる問題はないが、たとえ夜景撮影用の撮影モードでＥＶ１０〜ＥＶ９の明るさの撮影を可能としても、ほとんどのユーザが夜景撮影用の撮影モードに切り換えることなく日中撮影用の撮影モードで撮影してしまい、適切なプリント写真が得られないケースが多く発生してしまう。
【００１４】
以上のようなことに基づき、また夜景やそれを背景とする人物撮影に対応する場合には、ＩＳＯ１００を基準とした適正なＥＶ値をＥＶ６以下とすることで好ましい撮影を行えることから、発明者らは、レンズ付きフイルムユニットの日中撮影におけるＩＳＯ１００を基準とした適正なＥＶ値をＥＶ１１付近とするとともに夜景撮影の適正ＥＶ値をＥＶ６にするのがよいことを見い出している。
【００１５】
レンズ付きフイルムユニットの夜景撮影の適正ＥＶ値をＥＶ６に、日中撮影の適正ＥＶ値をＥＶ１１とし、これを絞り切替機構だけで実現するには、例えばシャッタ速度を１／１２８（公称１／１２０）秒、夜景撮影モードの絞り値をＦ２．８，日中撮影モードの絞り値をＦ１６、フイルム感度をＩＳＯ１６００とする組み合せが一例として考えられる。しかしながら、製造コストを低くし、また撮影レンズをプラスチック製の１枚あるい２枚のレンズから構成するようなレンズ付きフイルムユニットにおいて、絞り値Ｆ２．８を採用するのは現実的ではない。
【００１６】
一方、フイルム感度をＩＳＯ３２００, シャッタ速度を手ブレが発生しない程度の１／６４（公称１／６０）秒とすると、夜景撮影モードの絞り値をＦ５．６とすることができ、実現可能なレベルとなる。しかしながら、このようにすると、日中撮影モードの絞り値がＦ３２となる。一般に絞り値がＦ２２よりも大きくなると、絞りによる光の回折が無視できなくなり、画質を劣化させてしまうという問題が生じてしまう。
【００１７】
本発明は、上記問題点を解決するためのもので、製造コストの上昇や大型化を招くことなく、日中撮影及び夜景撮影に適し、撮影動作が安定したレンズ付きフイルムユニットを提供することを目的とする。
【課題を解決するための手段】
【００１８】
本願請求項１記載の発明では、少なくとも第１撮影モードと第２撮影モードとを選択するための撮影モード選択手段と、撮影モードに関わらずシャッタ速度が１／６４秒のシャッタ機構と、前記撮影モード選択手段による第１撮影モードの選択時に絞り値がＦ１６の小絞り開口と透過率が２５％のＮＤフィルタとからなる小絞り手段に切り替え、第２撮影モードの選択時に絞り値がＦ５．６の大絞りに切り替える絞り切替え手段とを備えるとともに、前記写真フイルムのフイルム感度をＩＳＯ３２００としたものである。
【００１９】
請求項２記載の発明では、小絞り手段を、小絞り開口が形成された小絞り板にＮＤフィルタを貼り付けたものとし、絞り切替え手段を第２撮影モードの選択時に前記小絞り板を撮影レンズの光路中に挿入するものである。
【００２０】
請求項３記載の発明では、撮影モード選択手段によって第３撮影モードの選択が可能にされ、前記絞り切替え手段は、第３撮影モードの選択時に小絞り手段に切り替えるようにされるとともに、撮影に同期してストロボ光を照射するストロボ装置と、第１撮影モードの選択時にストロボ装置を非作動とし、第２及び第３撮影モードの選択時にストロボ装置を作動状態とするストロボ発光切替手段と、第２撮影モードの選択時にストロボ光の照射量を減らすストロボ光量切替手段とを備えたものである。
【発明の効果】
【００２１】
本発明のレンズ付きフイルムユニットによれば、写真フイルムのフイルム感度をＩＳＯ３２００とし、また撮影モードに関わらずシャッタ速度を１／６４秒とし、絞りを絞り値がＦ１６の小絞り開口と透過率が２５％のＮＤフィルタとからなる小絞り手段と、絞り値がＦ５．６の大絞りとで切り替えるようにしたので、シャッタ速度を安定させた撮影が行えるとともに、絞りでの回折による像の劣化を防止できる。また、明るさを間違いやすい状況での撮影モードの選択ミスによる撮影の失敗を少なくできる。
【発明を実施するための最良の形態】
【００２２】
本発明を実施したレンズ付きフイルムユニットの外観を図１に示す。レンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈させるための開口が形成されている。
【００２３】
ユニット本体３の前面には、撮影レンズ５，ファインダ６，ストロボ発光部７，撮影モード選択部８等が設けられている。ユニット本体３の上面には、レリーズボタン９，カウンタ表示窓１０，シグナル用開口１１等が設けられている。ユニット本体３の背面からは、撮影毎のフイルム巻き上げに用いられる巻上げノブ１２の一部が露呈されている。
【００２４】
撮影モード選択部８は、ユニット本体３の前面に形成された操作開口１４と、この操作開口１４内で移動自在とされた略小判形状の操作部材１５とからなる。操作部材１５は、操作開口１４内の下方に位置する日中撮影位置と、図２に示すように、日中撮影位置から上方に向けてスライドされた日中シンクロ位置と、図３に示すように、日中シンクロ位置から図中時計方向に回動された夜景シンクロ位置との間で移動自在とされている。
【００２５】
レンズ付きフイルムユニット２は、操作部材１５が日中撮影位置にあるときに、ストロボＯＦＦ及び小絞りの日中撮影モードとなる。また、操作部材１５が日中シンクロ位置にあるときには、ストロボＯＮ及び小絞りの日中シンクロ撮影モードとなる。この日中シンクロ撮影モードでは、レンズ付きフイルムユニット２の上面からシグナル部材１７が突出される。このシグナル部材１７はライトガイドであり、ストロボ充電の完了時に発光する発光素子の光をユニット本体３外にガイドして、撮影準備が完了したことを知らせる。
【００２６】
操作部材１５が夜景シンクロ位置にあるときに、ストロボＯＮ及び大絞りの夜間シンクロ撮影モードとなる。この夜間シンクロ撮影モードでは、ストロボ発光部７の前方に減光部材１９が配置され、ストロボ光量の減光が図られる。また、ファインダ６の前方には、指標板２０が配置される。この指標板２０は、ファインダ６内で視認されることにより、レンズ付きフイルムユニット２が夜景シンクロ撮影モードにあることを撮影者に知らせる。
【００２７】
この例では、操作部材１５を日中撮影位置とすることにより選択される日中撮影モードが第１撮影モードに、夜景シンクロ位置とすることにより選択される夜景シンクロモードが第２撮影モードに、日中シンクロ位置とすることにより選択される日中シンクロ撮影モードが第３撮影モードにそれぞれ対応している。
【００２８】
シャッタ速度は、いずれの撮影モードにおいても同じであり、１／６４（公称１／６０）秒とされている。夜景シンクロ撮影モードに用いられる大絞りは、絞り値がＦ５．６となっている。一方、小絞りは、その光量を制限する能力が、詳細を後述するように絞り値Ｆ３２相当となっている。
【００２９】
図４にユニット本体３の構成を示す。ユニット本体３は、フイルムパトローネ２２が装填される本体基部２３と、この本体基部２３の前面側に取り付けられるストロボユニット２４と、撮影モードの切り替えを行うモード切替機構２５と、本体基部２３の前面側及び背面側に取り付けられる前カバー２６及び後カバー２７とからなる。
【００３０】
フイルムパトローネ２２は、１３５タイプのものが用いられており、写真フイルム２２ａとパトローネ２２ｂとからなる。写真フイルム２２ａは、フイルム感度がＩＳ０３２００のカラーネガタイプのものが用いられている。
【００３１】
ストロボユニット２４は、各種電気部品が取り付けられてストロボ回路が形成されたプリント基板２９と、放電管やリフレクタ，拡散板等からなるストロボ発光部７とから構成されている。また、プリント基板２９には、シャッタ羽根の開閉に同期してオンし、ストロボ発光を行わせるシンクロスイッチ３０と、撮影モード選択部８の操作部材１５の移動によってオン／オフされる発光選択スイッチを構成する金属接片３１と、電池３２をストロボ回路に接続する電池接片３３等が組み付けられている。発光選択スイッチがオンのときには、ストロボ発光のための充電が行われるとともに、ストロボ発光が許容される、また、発光選択スイッチがオフのときには、充電が停止されるとともに、ストロボ発光が禁止される。
【００３２】
本体基部２３の前面中央には、遮光筒３５が設けられている。この遮光筒３５の周囲には、シャッタチャージ機構，シャッタ機構，フイルム巻上げ機構，フイルム巻止機構，フイルムカウント機構，絞り切替機構，撮影光学系，ファインダ光学系等が組み付けられている。
【００３３】
図５に遮光筒３５の周囲に組み込まれたシャッタ機構，絞り切替機構，撮影光学系の構成を示す。遮光筒３５の前面には、露光開口３７が形成されている。遮光筒３５の側方には、シャッタ羽根３８を揺動自在に支持するピン３９と、バネ４０の一端が掛けられるピン４１とが設けられている。
【００３４】
シャッタ機構を構成するシャッタ羽根３８は、ピン３９に挿通される穴４３ａが形成されたベース部４３と、露光開口３７の前方に配置されて該露光開口３７の開閉を行う開閉部４４と、ベース部４３と開閉部４４とを接続する連結部４５とからなる。ベース部４３には、バネ４０の他端が掛けられるピン４３ｂと、シャッタ駆動レバー４７によって蹴飛ばされる突出部４３ｃと、ストロボユニット２４のシンクロスイッチ３０を動作させるシンクロ突起４３ｄとが設けられている。シャッタ羽根３８は、バネ４０に付勢されて露光開口３７を塞ぐ閉じ位置に保持されている。
【００３５】
シャッタ駆動レバー４７は、シャッタ機構を構成する部品の一つであり、シャッタチャージ機構によってチャージ位置に向けて、図中矢線Ａ方向に回動される。そして、シャッタレリーズ時に、レリーズ位置に向けて矢線Ａ方向とは逆方向に回動する。
【００３６】
このチャージ位置からレリーズ位置への回動中にシャッタ駆動レバー４７は、シャッタ羽根３８の突出部４３ｃを蹴飛ばす。シャッタ駆動レバー４７に蹴飛ばされたシャッタ羽根３８は、閉じ位置からバネ４０の付勢に抗して図中矢線Ｂ方向に回動する。そして、レンズホルダ５６の内面に設けられたストッパーピン（図示省略）に当接した開き位置に達すると、バネ４０の付勢によって閉じ位置に復帰する。シャッタ羽根３８の閉じ位置から開き位置まで回転角度，バネ４０の付勢力等を調整することにより、シャッタ速度が１／６４秒とされている。
【００３７】
また、シャッタ羽根３８は、開き位置への回動時にシンクロ突起４３ｄでシンクロスイッチ３０の上部金属接片３０ａを押圧して、金属接片３０ｂに接触させる。発光選択スイッチがオンのときに、一対の金属接片３０ａ，３０ｂが接触してシンクロスイッチ３０がＯＮすると、ストロボユニット２４の発光部７においてストロボ発光が行われる。
【００３８】
遮光筒３５の前方には、レンズホルダ５６が取り付けられる。レンズホルダ５６の前面中央には、筒形状の鏡筒５７が形成されている。鏡筒５７内には、撮影開口５８が形成されており、鏡筒５７の側面には切欠５９が形成されている。鏡筒５７内には、撮影レンズ５を構成するプラスチック製の第１レンズ６０と第２レンズ６１とが収納される。これら第１レンズ６０と第２レンズ６１との間には、絞り切替機構を構成する大絞り板６２と、絞り切替板６３と、スペーサー６４とが収められる。
【００３９】
レンズホルダ５６の前面には、鏡筒５７に収められた撮影レンズ５等の部品と、鏡筒５７の外周に取り付けられた切替リング６８とが外れないように押さえるレンズ押さえ板６５が取り付けられる。
【００４０】
大絞り板６２は、円形の薄板からなり、その中央に大絞りの絞り開口６２ａが形成されている。すなわち、絞り開口６２ａは、絞り値がＦ５．６となるように、その径が決められている。
【００４１】
絞り切替板６３は、く字形状の薄板からなり、その一端６３ａが大絞り開口６２ａを塞ぐ大きさの円板状にされている。一端６３ａには、小絞り部６６が設けられている。この小絞り部６６は、図６に示すように、一端６３ａの中央に形成された小径の小絞り開口６６ａと、この小絞り開口６６ａを塞ぐように一端６３ａに貼り付けれたＮＤフィルタ６６ｂとから構成される。
【００４２】
小絞り開口６６ａは、絞り値がＦ１６となるように、その径が決められている。また、ＮＤフィルタ６６ｂは、透過率が２５％のものが用いられている。このように、絞り値Ｆ１６の小絞り開口６６ａと透過率が２５％のＮＤフィルタ６６ｂとを組み合わせることにより、回折現象による写真フイルム２２ａ上に結像される像の劣化を防止しながら、絞り値Ｆ３２相当の光量制限能力を小絞り部６６に持たせている。なお、小絞り開口６６ａの開口径とＮＤフィルタの透過率との組み合せを適宜に変更して、絞り値Ｆ３２相当の光量制限能力を持たせてもよく、光量制限能力を絞り値Ｆ３２相当以上としてもよい。
【００４３】
絞り切替板６３の他端には、穴６３ｂと長穴６３ｃとが形成されている。穴６３ｂは、レンズホルダ５６の鏡筒５７の近傍に形成されたピン６７に挿通され、絞り切替板６３を揺動自在とする。絞り切替板６３は、切欠５９を利用して一端６３ａを鏡筒５７内に出入りさせ、大絞り開口６２ａを露呈させる大絞り位置と、大絞り開口６２ａを隠す小絞り位置との間で回動される。
【００４４】
鏡筒５７の外周には、切替リング６８が回動自在に嵌入される。切替リング６８には、バネ７０の一端が掛けられるバネ掛けピン６８ａと、絞り切替板６３の長穴６３ｃに挿入されるリンクピン６８ｂと、背面側に突出され、撮影モード切替機構によって押圧される従動ピン６８ｃとが設けられている。
【００４５】
バネ７０の他端は、レンズホルダ５６の前面下部に形成されたピン７１に掛けられ、切替リング６８を図中矢線Ｃ方向に付勢する。なお、バネ７０によって付勢された切替リング６８は、絞り切替板６３との連係によって所定の位置に保持される。
【００４６】
操作部材１５には、略小判形状の切替板７４が一体に形成されており、この切替板７４には水平方向に突出された押圧レバー７５が一体に形成されている。操作部材１５が日中シンクロ位置から夜景シンクロ位置に回動すると、切替板７４の押圧レバー７５が切替リング６８の従動ピン６８ｃを下方から押圧する。これにより、切替リング６８は図中反時計方向に回動される。
【００４７】
図７は、日中撮影モード及び日中シンクロ撮影モードにおける切替リング６８の状態を示している。なお、図７では、日中撮影モードのときの操作部材１５，切替板７４，押圧レバー７５の位置を実線で、日中シンクロ撮影モードのときの操作部材１５，切替板７４，押圧レバー７５の位置を二点鎖線でそれぞれ描いてある。
【００４８】
操作部材１５が日中撮影位置及び日中シンクロ位置にあるときでは、操作部材１５の押圧レバー７５は切替リング６８の従動ピン６８ｃに接触しない。そのため、切替リング６８は初期位置に保持されている。切替リング６８が初期位置にあるときには、絞り切替板６３は一端６３ａが鏡筒５７内の撮影光路中に挿入された小絞り位置に保持される。これにより、小絞り部６６で光量が制限される小絞り状態となる。
【００４９】
図８に示すように、操作部材１５が日中シンクロ位置から夜景シンクロ位置へと回動されると、押圧レバー７５が従動ピン６８ｃを下方から押圧して切替リング６８を図中反時計方向（図５中の矢線Ｃ方向とは逆方向）に回動させる。この切替リング６８の回動により、リンクピン６８ｂに押圧された絞り切替板６３が図中時計方向に回動し、その一端６３ａが撮影光路から退避した大絞り位置に移動する。これにより、大絞り板６２で光量が制限される大絞り状態となる。
【００５０】
なお、シグナル部材１７，減光部材１９，指標板２０，発光選択スイッチを構成する金属接片３１は、モード切替機構２５により操作部材１５に連動し、操作部材１５を日中撮影位置と日中シンクロ位置との間でのスライドにより、シグナル部材１７の上下と、発光選択スイッチのオン・オフが行われる。また、操作部材１５の日中シンクロ位置と夜景シンクロ位置との間の回動により、ファインダ６，ストロボ発光部７の前方での指標板２０，減光部材１９の挿脱が行われる。
【００５１】
上記のように、このレンズ付きフイルムユニットは、写真フイルム２２ａとしてフイルム感度がＩＳＯ３２００のものが用いられるとともに、シャッタ速度が 1／６４秒とされている。そして、日中撮影モード及び日中シンクロ撮影モードでは、小絞り部６６による光量制限の能力が絞り値がＦ３２相当のものとされて、ＩＳＯ１００を基準としたＥＶ値で、適正ＥＶ値がＥＶ１１となっている。また、夜景シンクロ撮影モードでは、絞り値がＦ５．６とされて、適正ＥＶ値がＥＶ６となっている。なお、ＩＳＯ１００を基準とした適正ＥＶ値は、前述のように絞り値をＦ，シャッタ速度をＴ、フイルム感度をＳとしたときに、「ＥＶ＝log2( Ｆ2 ／Ｔ) −log2（Ｓ／１００）」で与えられる。
【００５２】
次に、上記構成の作用について説明する。晴天の屋外でストロボ発光を必要としない撮影を行う場合には、図１に示されるように、操作部材１５を開口１４の下方にスライドして日中撮影位置として日中撮影モードを選択する。
【００５３】
操作部材１５が日中撮影位置とされると、切替リング６８が初期位置にセットされて、一端６３ａが撮影光路中に挿入された小絞り位置に絞り切替板６３がセットされた小絞り状態となる。
【００５４】
この日中撮影モードでシャッタボタン９を押圧して撮影を行うと、シャッタ羽根３８が閉じ位置から開き位置に向けて回動し、再び閉じ位置に戻る開閉動作が行われ、露光開口３７の開閉が行われる。このときに、シャッタ速度は、１／６４秒となる。このようにシャッタ羽根２２の開閉動作が行われている間に、撮影レンズ５に入射した被写体からの光は、小絞り部６６，大絞り開口６２ａを通して写真フイルムに露光を与えるが、この場合には小絞り部６６で光量が制限されることになり、絞り開口６６ａとＮＤフィルタ６６ｂとによって、絞り値Ｆ３２の絞りと同等に光量が制限される。
【００５５】
晴天の屋外でストロボ発光を必要とする場合、例えば逆光時の撮影では、図２に示されるように、操作部材１５を開口１４の上方にスライドして日中シンクロ位置として日中シンクロ撮影モードを選択する。
【００５６】
操作部材１５日中シンクロ位置とすると、発光選択スイッチがオンとされるとともに、シグナル部材１７がユニット本体３の上部に突出されるが、切替リング６８は初期位置に維持される。そのため、日中撮影モードと同様に、絞り切替板６３が小絞り位置にセットされた小絞り状態となる。
【００５７】
この日中シンクロ撮影モードで撮影を行うと、日中撮影モードと同じく、小絞り部６６で光量が制限されて、シャッタ速度が１／６４秒で写真フイルム２２ａに露光が与えられる。また、この場合には、発光選択スイッチがオンとなっているためストロボ発光が行われる。
【００５８】
上記の日中撮影モード，日中シンクロ撮影モードでは、絞り値Ｆ３２といった絞りに相当する光量制限を行っているが、ＮＤフィルタ６６ｂを組み合わせることにより、小絞り開口６６ａがＦ１６の絞り径となっているので、小絞り開口６６ａによる光の回折に起因した被写体画像の劣化がない。
【００５９】
夜景等のように暗い被写体を撮影するような場合、あるいは夜景や暗い室内で背景にし、その背景を適当な濃度で再現しながら人物等の主要被写体を撮影する場合には、図３に示されるように、操作部材１５を日中シンクロ位置から夜景シンクロ位置に回動し、夜間シンクロ撮影モードを選択する。
【００６０】
操作部材１５が日中シンクロ位置から夜景シンクロ位置に回動されると、切替板７４の押圧レバー７５が切替リング６８の従動ピン６８ａを下方から押圧する。このため、バネ７０の付勢に抗して切替リング６８が初期位置から回動する。この切替リング６８の回動により、絞り切替板６３が大絞り位置に回動し、その一端６３ａが撮影レンズ５の光軸上から退避する。
【００６１】
また、操作部材１５の日中シンクロ位置から夜景シンクロ位置への回動によって、減光部材１９がストロボ発光部７の前方に配されるとともに、指標板２０がファインダ６の前方に配される。なお、発光選択スイッチはオンを維持し、シグナル部材１７は、ユニット本体３の上部から突出した状態を維持する。
【００６２】
この夜間シンクロ撮影モードで撮影を行うと、１／６４秒のシャッタ速度でのシャッタ開閉動作が行われ、これに同期してストロボ発光が行われる。また、このようにシャッタ羽根２２の開閉動作が行われている間に、撮影レンズ５に入射した被写体からの光は、小絞り部６６を通らずに大絞り開口６２ａを通して写真フイルムに露光を与えるため、大絞り開口６２ａ、すなわち絞り値Ｆ５．６で光量が制限されることになる。
【００６３】
上記のように、各撮影モードを選択することで、晴天の屋外のような明るい場所での撮影と、夜景やそれを背景とする人物撮影に対応する撮影とを良好に行うことができる。また、日中撮影モード及び日中シンクロ撮影モードの適正ＥＶ値がＥＶ１１に設定され、夜景シンクロ撮影モードの適正ＥＶ値がＥＶ６に設定されているため、いずれの撮影モードでも、ＥＶ９〜ＥＶ１１の明るさで良好な撮影が行える。したがって、たとえＥＶ９〜ＥＶ１０程度の明るさで撮影者が判断を迷い、いずれの撮影モードを選択したとしても撮影の失敗が防止される。
【００６４】
上記実施形態では、日中撮影モード，日中シンクロ撮影モード，夜景シンクロ撮影モードを備えたレンズ付きフイルムユニットについて説明しているが、日中撮影モードと夜景シンクロ撮影モードだけであってもよいし、日中シンクロ撮影モードと夜景シンクロ撮影モードだけでもよい。また、夜景などに対応する撮影モードでは、夜景だけを撮影するのであれば、ストロボ発光を行わなくてもよい。
【図面の簡単な説明】
【００６５】
【図１】本発明を実施したレンズ付きフイルムユニットの日中撮影モードの状態を示す外観斜視図である。
【図２】レンズ付きフイルムユニットの日中シンクロ撮影モードの状態を示す外観斜視図である。
【図３】レンズ付きフイルムユニットの夜間シンクロ撮影モードの状態を示す外観斜視図である。
【図４】レンズ付きフイルムユニットの構成を示す分解斜視図である。
【図５】絞り切替機構の構成を示す分解斜視図である。
【図６】小絞り部の構成を示す分解斜視図である。
【図７】絞り切替機構の日中撮影モード及び日中シンクロ撮影モードの状態を示す説明図である。
【図８】絞り切替機構の夜間シンクロ撮影モードの状態を示す説明図である。
【符号の説明】
【００６６】
２  レンズ付きフイルムユニット
３  ユニット本体
７  ストロボ発光部
８  撮影モード選択部
１５  操作部材
１９  減光部材
２５  撮影モード切替機構
６２  大絞り板
６３  絞り切替板
６６  小絞り部
６６ａ  絞り開口
６６ｂ  ＮＤフィルタ
【図１】
2005258069.tif 000003
【図２】
2005258069.tif 000004
【図３】
2005258069.tif 000005
【図４】
2005258069.tif 000006
【図５】
2005258069.tif 000007
【図６】
2005258069.tif 000008
【図７】
2005258069.tif 000009
【図８】
2005258069.tif 000010